(57)【要約】【課題】アナログ画像信号線の異常発生を正確に判定し、断線が発生したアナログ画像信号線を特定する。【解決手段】画像読取装置は、白基準板、ランプ、イメージセンサー、複数のアナログ画像信号線、画像データ生成部、制御部を含む。アナログ画像信号線は受光素子を区分けしたブロックごとに設けられる。画像データ生成部はアナログ画像信号を処理して画像データを生成する。異常判定処理のとき、制御部はイメージセンサーに白基準板を読み取らせる。制御部は白基準板の画像データである白基準画像データを生成させる。制御部は、ブロックごとに、白基準画像データの各画素の画素値の合計値を求める。制御部は、合計値が第１閾値以下のブロックに対応するアナログ画像信号線が断線していると判定する。【選択図】図６
2020028018.tif 000002
【特許請求の範囲】
【請求項１】
白基準板と、
読取対象に光を照射するランプと、
前記読取対象で反射された光を受光する受光素子を複数含むイメージセンサーと、
前記イメージセンサーの前記受光素子を区分けしたブロックごとに設けられ、前記ブロック内の前記受光素子が出力するアナログ画像信号を伝送する複数のアナログ画像信号線と、
それぞれの前記アナログ画像信号線と接続され、それぞれの前記アナログ画像信号線が伝送する前記アナログ画像信号を処理して画像データを生成する画像データ生成部と、
異常判定処理のとき、
前記ランプを点灯させて前記イメージセンサーに前記白基準板を読み取らせ、
前記白基準板の読み取りに基づき得られた画像データである白基準画像データを前記画像データ生成部に生成させ、
前記ブロックごとに、前記白基準画像データの各画素の画素値の合計である合計値を求め、
それぞれの前記ブロックの前記合計値と予め定められた第１閾値とを比較し、
前記第１閾値以下の前記合計値があるとき、前記アナログ画像信号の異常ありと判定し、
前記合計値が前記第１閾値以下の前記ブロックに対応する前記アナログ画像信号線が断線していると判定する制御部と、を含むことを特徴とする請求項１に記載の画像読取装置。
【請求項２】
前記イメージセンサーと前記画像データ生成部を電気的に接続するケーブルを含み、
前記ケーブルは、複数の前記アナログ画像信号線を含むことを特徴とする請求項１に記載の画像読取装置。
【請求項３】
前記第１閾値より大きいが、予め定められた第２閾値以下の前記合計値があるとき、
前記制御部は、前記ランプの異常ありと判定し、
前記第２閾値は、前記第１閾値よりも大きいことを特徴とする請求項１又は２に記載の画像読取装置。
【請求項４】
表示パネルを含み、
異常ありと判定したとき、
前記制御部は、判定した異常を前記表示パネルに表示させることを特徴とする請求項
１乃至３の何れか１項に記載の画像読取装置。
【請求項５】
通信部を含み、
異常ありと判定したとき、
前記制御部は、予め定められた宛先に向けて、判定した異常を前記通信部に送信させることを特徴とする請求項１乃至４の何れか１項に記載の画像読取装置。
【請求項６】
前記第１閾値は、
ゼロ以上であり、
前記ランプ不点灯時の読み取りで得られた画像データにおいて、前記ブロック内の各画素の画素値を合計した値よりも小さいことを特徴とする請求項１乃至５の何れか１項に記載の画像読取装置。
【請求項７】
記憶部を含み、
前記制御部は、
前記ランプを消灯させて前記イメージセンサーに読み取りを行わせ、
前記ランプ消灯時の読み取りに基づき得られた画像データである閾値設定用画像データを前記画像データ生成部に生成させ、
前記ブロックごとに、前記閾値設定用画像データの各画素値の合計である閾値設定用合計値を求め、
求めた閾値設定用合計値の最小値又は平均値よりも小さい値を前記第１閾値として前記記憶部に記憶させることを特徴とする請求項１乃至６の何れか１項に記載の画像読取装置。
【発明の詳細な説明】
【技術分野】
【０００１】
本発明は、原稿を読み取る画像読取装置に関する。
【背景技術】
【０００２】
画像読取装置は光源やイメージセンサーを含む。光源は原稿に光を照射する。イメージセンサーは原稿の反射光を光電変換する。そして、イメージセンサーは電荷をアナログ画像信号として出力する。アナログ画像信号は伝送され、Ａ／Ｄ変換器に入力される。アナログ画像信号をＡ／Ｄ変換することにより、画像データが得られる。
【０００３】
このようなイメージセンサーのアナログ画像信号に基づき原稿を読み取る画像読取装置の一例が特許文献１に記載されている。特許文献１記載のプリンター１００は、カラー原稿スキャナ１０を含む。カラー原稿スキャナ１０は、読取ユニット１１を含む。読取ユニット１１は、ＣＣＤ１１ａ、バッファアンプ１１ｂ、サンプリング回路１１ｃ、ゲインアンプ１１ｄ、オフセット設定部１１ｅ、Ａ／Ｄ変換回路１１ｆを含む。ＣＣＤ１１ａが出力するアナログ画像信号は、同一ユニット内のＡ／Ｄ変換回路１１ｆでデータ化される（特許文献１：段落［００４３］、［００７１］〜［００７４］、図５等参照）。
【先行技術文献】
【特許文献】
【０００４】
【特許文献１】特開２００３−３２４６０１号公報
【発明の概要】
【発明が解決しようとする課題】
【０００５】
画像読取装置ではイメージセンサーとしてラインセンサーが設けられる。列状にならぶ各受光素子（画素）を複数のブロックに区分けすることがある。そして、ブロックごとにアナログ画像信号線を設けることがある。この場合、複数のアナログ画像信号線を用いて、アナログ画像信号が伝送される。これにより、各受光素子が出力するアナログ画像信号を並行的に伝送することができる。アナログ画像信号線が１本のみの場合に比べ、アナログ画像信号線の伝送速度を下げることができる。
【０００６】
信号線の数が多いほど、信号線の断線が生じやすくなることがある。アナログ画像信号線が断線している場合、イメージセンサーが出力したアナログ画像信号は伝送されない。そのため、断線しているアナログ画像信号線が伝送を担当する画素の画素値は、暗い値となる。そこで、読み取りで得られた画像データの各画素の画素値に基づき、アナログ画像信号線の断線が生じたか否かを検知することがある。しかし、読取対象の汚れ、読み取りガラス部分の汚れ、傷によって、画素値が暗い値になることがある。汚れ、傷のため、アナログ画像信号線の断線を誤検知することがあるという問題がある。
【０００７】
ここで、特許文献１記載の技術では、アナログ画像信号線を複数設けるか否か不明である。読取対象の汚れ、読み取りガラス部分の汚れや傷による断線誤検知に関する記載はない。従って、特許文献１記載の技術では、上記の問題を解決することはできない。
【０００８】
本発明は、上記従来技術の問題点に鑑み、誤検知することなく、アナログ画像信号線の異常（断線）を正確に判定し、断線が発生したアナログ画像信号線を特定する。
【課題を解決するための手段】
【０００９】
本発明に係る画像読取装置は、白基準板、ランプ、イメージセンサー、複数のアナログ画像信号線、画像データ生成部、制御部を含む。前記ランプは読取対象に光を照射する。前記イメージセンサーは、前記読取対象で反射された光を受光する受光素子を複数含む。前記アナログ画像信号線は、前記イメージセンサーの前記受光素子を区分けしたブロックごとに設けられる。前記アナログ画像信号線は、前記ブロック内の前記受光素子が出力するアナログ画像信号を伝送する。前記画像データ生成部は、それぞれの前記アナログ画像信号線と接続され、それぞれの前記アナログ画像信号線が伝送する前記アナログ画像信号を処理して画像データを生成する。異常判定処理のとき、前記制御部は、前記ランプを点灯させて前記イメージセンサーに前記白基準板を読み取らせる。前記制御部は、前記白基準板の読み取りに基づき得られた画像データである白基準画像データを前記画像データ生成部に生成させる。前記制御部は、前記ブロックごとに、前記白基準画像データの各画素の画素値の合計である合計値を求める。前記制御部は、それぞれの前記ブロックの前記合計値と予め定められた第１閾値とを比較する。前記制御部は、前記第１閾値以下の前記合計値があるとき、前記アナログ画像信号の異常ありと判定する。前記制御部は、前記合計値が前記第１閾値以下の前記ブロックに対応する前記アナログ画像信号線が断線していると判定する。
【発明の効果】
【００１０】
本発明によれば、誤検知することなく、アナログ画像信号線の異常（断線）を正確に判定することができる。どのアナログ画像信号線で断線が発生したかを正確に判定することができる。
【図面の簡単な説明】
【００１１】
【図１】実施形態に係る複合機の一例を示す図である。
【図２】実施形態に係る画像読取部の一例を示す図である。
【図３】実施形態に係る画像読取部の一例を示す図である。
【図４】実施形態に係る受光素子の区分け（ブロック）の一例を示す図である。
【図５】実施形態に係る複合機でのアナログ画像信号の伝送の一例を示す図である。
【図６】実施形態に係るアナログ画像信号線の異常判定処理の一例を示す図である。
【図７】実施形態に係る複合機での第１閾値の設定の一例を示す図である。
【発明を実施するための形態】
【００１２】
以下、図１〜図７を用いて、実施形態に係る画像読取装置を説明する。画像読取装置として複合機１００を例に挙げて説明する。複合機１００は、原稿読取の他、印刷、送信が可能である。複合機１００は画像形成装置でもある。本実施形態の説明に記載されている構成、配置等の各要素は発明の範囲を限定せず単なる説明例にすぎない。
【００１３】
（複合機１００）
図１を用いて、実施形態に係る複合機１００の一例を説明する。図１は、実施形態に係る複合機１００の一例を示す図である。
【００１４】
複合機１００は、制御部１、画像読取部２、原稿搬送部３、記憶部４、操作パネル５、印刷部６、通信部７を含む。例えば、画像読取部２の上部に原稿搬送部３が設けられる（図２参照）。また、例えば、画像読取部２の下方に本体部が設けられる。本体部内に、制御部１、記憶部４、印刷部６、通信部７が設けられる。操作パネル５は、例えば、画像読取部２の前面側に取り付けられる。
【００１５】
制御部１は複合機１００を制御する。制御部１は、複合機１００をコントロールするための基板である（コントロール基板）。制御部１は制御回路１１、画像データ生成部１２、画像処理回路１３を含む。記憶部４は、ＲＯＭ、フラッシュＲＯＭ、ストレージ（ＨＤＤ）のような不揮発性の記憶装置を含む。また、記憶部４はＲＡＭのような揮発性の記憶装置も含む。制御部１は、記憶部４に記憶されたプログラムやデータを利用して各部を制御する。コピーや送信のようなジョブにおいて、制御部１は原稿読取を制御する。また、制御部１は印刷、送信、画像データの記憶を制御する。制御回路１１は、例えば、ＣＰＵである。制御回路１１は、制御、処理、演算を行う回路である。画像データ生成部１２は、アナログ画像信号を処理して画像データを生成する（詳細は後述）。画像処理回路１３は画像データに画像処理を行う。
【００１６】
操作パネル５は、表示パネル５１、タッチパネル５２、ハードキー５３を含む。制御部１は設定用画面や操作用画像を表示パネル５１に表示させる。制御部１は表示パネル５１の表示を制御する。操作用画像は、例えば、ボタン、キー、タブである。タッチパネル５２の出力に基づき、制御部１は、操作された操作用画像を認識する。ハードキー５３はスタートキーやテンキーを含む。タッチパネル５２、ハードキー５３は使用者の設定操作（ジョブに関する操作）を受け付ける。制御部１は操作パネル５と通信する。制御部１は設定内容を認識する。
【００１７】
印刷部６は給紙部６ａ、用紙搬送部６ｂ、画像形成部６ｃ、定着部６ｄを含む。印刷ジョブのとき、制御部１は用紙を給紙部６ａに供給させる。制御部１は用紙を用紙搬送部６ｂに搬送させる。用紙搬送部６ｂは印刷済み用紙を機外に排出する。制御部１は画像データに基づくトナー像を画像形成部６ｃに形成させる。制御部１は搬送用紙へのトナー像の転写を画像形成部６ｃに行わせる。制御部１は転写されたトナー像の用紙への定着を定着部６ｄに行わせる。定着部６ｄはトナー像を加熱、加圧する。
【００１８】
通信部７はコンピューター２００と通信可能に接続される。コンピューター２００は、例えば、ＰＣ、サーバーである。通信部７とコンピューター２００は、ネットワークを介して通信する。通信部７は通信用回路、通信用ソフトウェアを含む。通信部７はコンピューター２００から送信された印刷用データを受信できる。印刷用データはページ記述言語で記述されたデータや印刷の設定データを含む。制御部１は受信した印刷用データに基づき、印刷部６に印刷させる（プリントジョブ）。
【００１９】
（画像読取部２）
次に、図２、図３を用いて、実施形態に係る画像読取部２を説明する。図２、図３は、実施形態に係る画像読取部２の一例を示す図である。図２は、実施形態に係る画像読取部２を複合機１００の正面方向から見た図である。
【００２０】
原稿搬送部３はセットされた原稿を搬送する装置である。原稿搬送部３はＤＰやＡＤＦと略称されることもある。送り読取のとき、使用者は原稿を原稿搬送部３にセットする。原稿搬送部３はセットされた原稿を１枚ずつ搬送する。原稿搬送部３は送り読取用コンタクトガラス２ａ（読み取り位置）に向けて原稿を搬送する。送り読取用コンタクトガラス２ａは画像読取部２の上面に設けられる。送り読取用コンタクトガラス２ａは透明である。原稿搬送部３は、原稿搬送方向上流側から順に、原稿トレイ３ａ、供給ローラー３ｂ、原稿搬送路３ｃ、複数の搬送ローラー対３ｄ、排出ローラー対３ｅ、排出トレイ３ｆを含む。原稿は原稿搬送路３ｃを通る。供給ローラー３ｂ、複数の搬送ローラー対３ｄ、排出ローラー対３ｅは原稿を１枚ずつ排出トレイ３ｆに向けて搬送する。
【００２１】
画像読取部２の上面右側にテーブル読取用コンタクトガラス２ｂ（原稿台）が配される。テーブル読取用コンタクトガラス２ｂは透明である。テーブル読取を行うとき、使用者はテーブル読取用コンタクトガラス２ｂの一面（上側の面）に原稿をセットする。例えば、搬送できない原稿がテーブル読取用コンタクトガラス２ｂにセットされる。原稿搬送部３は開閉できる。複合機１００の正面側（手前側）を上下に振るように、原稿搬送部３を開閉することができる。図２は、原稿搬送部３が閉じられた状態を示す。原稿搬送部３の下面には、押さえ板３ｇが取り付けられる。押さえ板３ｇは、例えば、白色の板である。原稿搬送部３を閉じたとき、押さえ板３ｇはテーブル読取用コンタクトガラス２ｂを上から覆う。押さえ板３ｇは、テーブル読取用コンタクトガラス２ｂにセットされた原稿を上から押さえる。原稿搬送部３は原稿を押さえるカバーとして機能する。
【００２２】
図３に示すように、画像読取部２は読取制御部２０を含む。読取制御部２０は画像読取部２の動作を制御する基板である。読取制御部２０は読取制御回路２０ａを含む。読取制御部２０は制御部１からの指示、信号を受け、原稿読取を制御する。画像読取部２は、筐体２１内に、キャリッジ２２、白基準板２３、移動機構２４を含む。移動機構２４は、ベルト２４ａ、プーリー２４ｂ、プーリー２４ｃ、移動用モーター２４ｄを含む。キャリッジ２２はＣＩＳ方式のスキャンユニットである。画像読取部２は、ＣＣＤ方式のスキャンユニットを有してもよい。
【００２３】
ベルト２４ａは無端状である。ベルト２４ａは各プーリー２４ｂにかけ回される。ベルト２４ａとキャリッジ２２は接続される。移動用モーター２４ｄが画像読取部２に設けられる（図４参照）。移動用モーター２４ｄはプーリー２４ｂ又はプーリー２４ｃを回転させる。移動用モーター２４ｄは正逆回転可能である。キャリッジ２２を移動させるとき、読取制御部２０は移動用モーター２４ｄを回転させる。これにより、ベルト２４ａが周回する。ベルト２４ａの周回にあわせ、キャリッジ２２は水平方向（副走査方向、図２の左右方向）で移動する。キャリッジ２２は、テーブル読取用コンタクトガラス２ｂの他面側（下側）で移動する。
【００２４】
テーブル読取用コンタクトガラス２ｂと送り読取用コンタクトガラス２ａの間に白基準板２３が設けられる。白基準板２３は、キャリッジ２２のホームポジション上に設けられる。白基準板２３は、キャリッジ２２がホームポジションにあるときに読取可能な位置に設けられる。複合機１００はホームポジションセンサー２５を含む。ホームポジションセンサー２５は、キャリッジ２２がホームポジションにあるときと無いときとで出力レベルが変化する。ホームポジションセンサー２５の出力は、読取制御部２０に入力される。読取制御部２０は、ホームポジションの出力レベルに基づき、キャリッジ２２がホームポジションにあるか否かを認識できる。
【００２５】
キャリッジ２２はランプ２６とイメージセンサー９を含む。キャリッジ２２は原稿を読み取る。ランプ２６は読取対象に光を照射する。ランプ２６は、例えば、光源と導光管を含む。光源はＬＥＤである。導光管の一端、又は、両端にＬＥＤが取り付けられる。導光管は、端部から入手された光を管の長手方向（主走査方向）で均等に分散する。導光管は分散した光を原稿に向けて照射する。なお、ランプ２６には、ＬＥＤ以外の光源が用いられてもよい。
【００２６】
イメージセンサー９は複数の受光素子９ａ（光電変換素子、画素）を含む。受光素子９ａは、読取対象で反射された光を受光する。読取対象は、例えば、白基準板２３、原稿、又は、押さえ板３ｇである。受光素子９ａは主走査方向（副走査方向と垂直な方向）に並べられる。イメージセンサー９は、例えば、ラインセンサーである。読取対象で反射された光は、受光素子９ａに入射される。各受光素子９ａは、受光量（反射光量）に応じたアナログ画像信号を出力する。各受光素子９ａは、読取期間の受光量が多いほど、大きいアナログ画像信号を出力する。
【００２７】
制御部１（コントロール基板）には、画像データ生成部１２が設けられる。ケーブル８０により、イメージセンサー９と画像データ生成部１２が設けられる。アナログ画像信号線８は、ケーブル８０により、位置的に離れた場所に伝送される。イメージセンサー９から出力され、ケーブル８０を介して入力されたアナログ画像信号に基づき、画像データ生成部１２は画像データを生成する。
【００２８】
搬送される原稿を読み取るとき（送り読取のとき）、読取制御部２０はキャリッジ２２を副走査方向に移動させる。読取制御部２０は送り読取用コンタクトガラス２ａの下（他面側）にキャリッジ２２を移動させる。読取制御部２０はランプ２６を点灯させる。原稿は送り読取用コンタクトガラス２ａの上（一面側）を通過する。読取制御部２０は搬送される原稿をキャリッジ２２（イメージセンサー９）に読み取らせる。
【００２９】
テーブル読取用コンタクトガラス２ｂにセットされた原稿を読み取るとき（テーブル読取のとき）、読取制御部２０は、キャリッジ２２を副走査方向に移動させる。読取制御部２０は、ホームポジションからキャリッジ２２を移動させる。ランプ２６はテーブル読取用コンタクトガラス２ｂの一面にセットされた原稿に光を照射する。ランプ２６は主走査方向に沿って光を照射する。これにより、読取制御部２０は、読取ラインの位置を変化させつつ、載置された原稿をキャリッジ２２（イメージセンサー９）に読み取らせる。移動用モーター２４ｄは、例えば、ステッピングモーターである。例えば、１ステップで、１ドット（１ライン）分、キャリッジ２２が移動する。
【００３０】
画像データ生成部１２は、例えば、増幅回路１２ａ、Ａ／Ｄ変換回路１２ｂ、補正回路１２ｃを含む。画像データ生成部１２は、例えば、ＡＦＥと呼ばれる回路である。増幅回路１２ａは、イメージセンサー９が出力したアナログ画像信号を増幅する。増幅がなされたアナログ画像信号は、Ａ／Ｄ変換回路１２ｂに入力される。Ａ／Ｄ変換回路１２ｂは、入力されたアナログ画像信号をディジタルの画像信号に変換する。つまり、Ａ／Ｄ変換回路１２ｂは、画像データを生成する。
【００３１】
生成された画像データは補正回路１２ｃに入力される。ランプ２６、イメージセンサー９、画像データ生成部１２の特性に起因して、画像データに歪みが含まれることがある。補正回路１２ｃは歪みを補正する回路である。例えば、補正回路１２ｃは、シェーディング補正回路１２ｄを含む。補正回路１２ｃは他種の補正用回路を含んでもよい。シェーディング補正回路１２ｄは、白基準値と黒基準値に基づき、シェーディング補正を行う。画像データ生成部１２は、生成、補正した画像データを記憶部４に記憶させる。
【００３２】
（イメージセンサー９の受光素子９ａの区分け）
図４を用いて、実施形態に係る受光素子９ａの区分け（ブロックＢ）について説明する。図４は、実施形態に係る受光素子９ａの区分け（ブロックＢ）の一例を示す図である。
【００３３】
イメージセンサー９は複数の受光素子９ａを含む。図４の□（白抜正方形）は受光素子９ａを示す。図４では、便宜上、１つの受光素子９ａにのみ符号を付している。受光素子９ａは、主走査方向に沿って列状に並べられる。図４に示すように、イメージセンサー９は、ラインセンサーである。
【００３４】
イメージセンサー９の各受光素子９ａは、複数のブロックＢに区分けされる。図４の例では、ｎ個のブロックＢに区分けする例を示す。各ブロックＢは複数の受光素子９ａを含む。図４は、１つのブロックＢがｍ個の受光素子９ａを含む例を示す。言い換えると、図４は、一連のｍ個の受光素子９ａを１つのブロックＢと扱う例を示す。そのため、イメージセンサー９（ラインセンサー）の総画素数は、ｍ×ｎ個となる。
【００３５】
ｎ（イメージセンサー９の画素のブロックＢの区分け数）は適宜定められる。例えば、ｎ＝１２とすることができる。ｎは、１２より小さい値でもよい。また、ｎは１２より大きい値でもよい。但し、複数のブロックＢに区分けするので、ｎは２以上である。
【００３６】
ｍ（１つのブロックＢに含める画素数）も適宜定められる。例えば、ｍ＝５１２とすることができる。ｍは、５１２より小さい値でもよい。また、ｍは５１２より大きい値でもよい。但し、１つのブロックＢに複数の画素を含めるので、ｍも２以上である。本実施形態の複合機１００では、各ブロックＢに含まれる画素数は同じである。
【００３７】
（アナログ画像信号の伝送）
次に、図５を用いて、実施形態に係る複合機１００でのアナログ画像信号の伝送の一例を説明する。図５は、実施形態に係る複合機１００でのアナログ画像信号の伝送の一例を示す図である。
【００３８】
上述のように、イメージセンサー９（ラインセンサー）の受光素子９ａは、複数のブロックＢに区分けされる。各ブロックＢは複数の受光素子９ａを含む。１つのブロックＢに対し、１本のアナログ画像信号線８が設けられる。ブロックＢは複数なので、複数本のアナログ画像信号線８が設けられる。各アナログ画像信号線８は、対応する（担当する）ブロックＢに含まれる受光素子９ａが出力するアナログ画像信号を伝送する。
【００３９】
各アナログ画像信号線８は、１つのケーブル８０に束ねられる。言い換えると、ケーブル８０は、複数のアナログ画像信号線８を含む。例えば、ＦＦＣ（フレキシブルフラットケーブル８０）をケーブル８０として用いることができる。つまり、ケーブル８０は並列多芯電線でもよい。ＦＦＣを用いる場合、各アナログ画像信号線８は、一定間隔で並べられる。並べられた各アナログ画像信号線８は、絶縁性の樹脂製フイルムで挟まれる。樹脂製フイルムは、剥がれないように、製造時に加熱、加圧される。または、樹脂製フイルムは、接着剤で接着される。また、ＦＰＣ（フレキシブルプリントサーキット）をケーブル８０に用いてもよい。
【００４０】
送信側コネクター８１がイメージセンサー９に設けられる。送信側コネクター８１にケーブル８０の一端が接続される。送信側コネクター８１は、アナログ画像信号線８と同数の送信側端子８２を含む。各ブロックＢには、ブロックＢ内の受光素子９ａから順番に電荷を取り出し、１画素分ずつ出力する伝送回路（シフトレジスター）が設けられる。各送信側端子８２は何れか１つの伝送回路と接続される。これにより、ブロックＢに含まれる受光素子９ａが出力したアナログ画像信号が順番にアナログ画像信号線８に入力される。
【００４１】
画像データ生成部１２には受信側コネクター８３が設けられる。受信側コネクター８３にケーブル８０の他端が接続される。受信側コネクター８３はアナログ画像信号線８と同数の受信側端子８４を含む。各受信側端子８４は、画像データ生成部１２と接続される。これにより、画像読取部２に設けられるイメージセンサー９と、制御部１に設けられる画像データ生成部１２が電気的に接続される。各受光素子９ａが出力したアナログ画像信号が画像データ生成部１２に入力される。このように、画像データ生成部１２は、それぞれのアナログ画像信号線８と接続される。画像データ生成部１２は、それぞれのアナログ画像信号線８が伝送するアナログ画像信号を処理して画像データを生成する。
【００４２】
（異常判定処理）
図６を用いて、実施形態に係るアナログ画像信号線８の異常判定処理の一例を説明する。図６は、実施形態に係るアナログ画像信号線８の異常判定処理の一例を示す図である。
【００４３】
異常判定処理とは、アナログ画像信号線８とランプ２６の異常の有無を判定する処理である。異常判定処理は、断線したアナログ画像信号線８を特定する処理を含む。制御部１が異常判定処理を行う。制御部１は、予め定められた判定実行時に異常判定処理を行う。判定実行時は、例えば、複合機１００の主電源投入により、制御部１と画像読取部２の起動が完了した時点である。主電源投入により、制御部１、画像読取部２、原稿搬送部３、記憶部４、操作パネル５、印刷部６、通信部７への電力供給が開始される。各部分は起動プログラムを実行し、起動処理を開始する。起動処理の完了により、各部分は使用できる状態になる。
【００４４】
なお、異常判定処理は主電源投入時（起動完了時）に限られない。例えば、制御部１は、予め定められた時刻に異常判定処理を行ってもよい。先の異常判定処理後、所定枚数の読み取りを行ったとき、制御部１は異常判定処理を行ってもよい。操作パネル５が異常判定処理の実行指示を受け付けたとき、制御部１は異常判定処理を行ってもよい。
【００４５】
図６のスタートは異常判定処理を開始する時点である。まず、制御部１は、ランプ２６を点灯させ白基準板２３の読み取りをイメージセンサー９に行わせる（ステップ♯１１）。次に、制御部１は、白基準画像データを画像データ生成部１２に生成させる（ステップ♯１２）。白基準画像データは、白基準板２３の読み取りに基づく画像データである。言い換えると、白基準画像データは白基準板２３の読み取り結果を示す画像データである。
【００４６】
制御部１はブロックＢごとに合計値を求める（ステップ♯１３）。合計値は、１つのブロックＢ（アナログ画像信号線８）分の画素の画素値の合計である。言い換えると、１つの合計値は、１本のアナログ画像信号線８が伝送したアナログ画像信号のディジタル値を足しあわせた値である。１つのブロックＢの画素数がｍの場合、制御部１は、ｍ個の画素の画素値の合計を求める。１つのブロックＢが５１２画素の場合、制御部１は、白基準画像データのうち、５１２個の画素の画素値の合計を求める。ブロックＢの個数がｎ個の場合、制御部１は、ｎ個の合計値を求める。
【００４７】
読取期間の受光量が大きいほど、受光素子９ａが出力するアナログ画像信号（電荷）は大きくなる。画像データ生成部１２は、入力されたアナログ画像信号が大きいほど、大きなディジタル値に変換する。画像データ生成部１２は、入力されたアナログ画像信号が小さいほど、小さいディジタル値に変換する。そのため、画像データ生成部１２は、明るい（白い）ほど、画素値が大きい画像データを生成する。また、画像データ生成部１２は、暗い（黒い）ほど、画素値が小さい画像データを生成する。
【００４８】
制御部１は、複数の合計値のうち、予め定められた第１閾値ＴＨ１以下の合計値があるか否かを確認する（ステップ♯１４）。第１閾値ＴＨ１以下の合計値がない場合（ステップ♯１４のＮｏ）、制御部１は、アナログ画像信号線８の断線は発生していないと判定する（ステップ♯１５）。言い換えると、制御部１は、全てのアナログ画像信号線８が断線していないと判定する。
【００４９】
ステップ♯１５に続き、制御部１は複数の合計値のうち、予め定められた第２閾値ＴＨ２以下の合計値があるか否かを確認する（ステップ♯１６）。第２閾値ＴＨ２は第１閾値ＴＨ１よりも大きい。第２閾値ＴＨ２以下の合計値がない場合（ステップ♯１６のＮｏ）、制御部１はランプ２６の異常なしと判定する（ステップ♯１７）。制御部１は本フローを終了する（エンド）。一方、第２閾値ＴＨ２以下の合計値がある場合（ステップ♯１６のＹｅｓ）、制御部１は、ランプ２６の異常ありと判定する（ステップ♯１８）。
【００５０】
以下、第１閾値ＴＨ１、第２閾値ＴＨ２を説明する。第１閾値ＴＨ１はアナログ画像信号線８に断線があるか否かを判定するための値である。記憶部４は第１閾値ＴＨ１を不揮発的に記憶する（図１参照）。全てのブロックＢで共通の第１閾値ＴＨ１を用いる。制御部１は、記憶部４の第１閾値ＴＨ１を読み出す。制御部１は、読み出した第１閾値ＴＨ１と求めた合計値を比較する。
【００５１】
断線したアナログ画像信号線８によりアナログ画像信号が伝送される画素の画素値はゼロになる。そのため、第１閾値ＴＨ１はゼロ以上である。一方、故障によって、ランプ２６が点灯しなくなる場合がある。ランプ２６を不点灯で読み取りが行われた場合、各画素の画素値は小さくなる。しかし、各画素の画素値はゼロにはならない。そこで、第１閾値ＴＨ１は、ランプ２６の不点灯時の読み取りで得られる画像データにおいて、ブロックＢ内の各画素の画素値を合計した値よりも小さい。
【００５２】
第２閾値ＴＨ２はランプ２６に異常（断線、故障、不点灯、光量低下）があるか否かを判定するための値である。記憶部４は第２閾値ＴＨ２を不揮発的に記憶する（図１参照）。全てのブロックＢで共通の第２閾値ＴＨ２を用いる。制御部１は、記憶部４の第２閾値ＴＨ２を読み出す。制御部１は、読み出した第２閾値ＴＨ２と求めた合計値を比較する。そして、同じブロックＢでは、第２閾値ＴＨ２は、第１閾値ＴＨ１よりも大きい（第２閾値ＴＨ２＞第１閾値ＴＨ１）。また、第２閾値ＴＨ２は、白基準板２３を読み取ったときの画素値の平均値と、１つのブロックＢの画素数と、を乗じた値よりも小さくする必要がある。例えば、第２閾値ＴＨ２は、１つのブロックＢの画素数と、画素値の中央値（最大値と最小値の中間値）を乗じた値としてもよい。また、第２閾値ＴＨ２は、１つのブロックＢの画素数と、画素値の最大値の数分の１を乗じた値でもよい。
【００５３】
ここで、数字を挙げて具体的に説明する。説明では、各ブロックＢに含まれる画素数が５１２（０ｘ２００）とする。また、１画素のビット数が８ビットとする。また、異常なく白基準板２３を読み取ったときの画素値の平均値が２３０（０ｘＥ６）とする。ランプ２６の不点灯時の読み取りでの画素値の平均値が５（０ｘ０５）とする。
【００５４】
（１）アナログ画像信号線８、ランプ２６に異常がない場合
各ブロックＢの合計値は、２３０×５１２＝１１７７６０（０ｘＥ６×０ｘ２００＝０ｘ１ＣＣ００）程度の値となる。
（２）アナログ画像信号線８が断線している場合
各ブロックＢの合計値は、０×５１２＝０となる。ノイズ等により、０にならない場合もあり得る。
（３）ランプ２６に不点灯の異常がある場合
各ブロックＢの合計値は、５×５１２＝２５６０（０ｘ０５×０ｘ２００＝０ｘＡ００）程度の値となる。０よりもずっと大きい値になる。
【００５５】
例えば、第１閾値ＴＨ１を２５６０よりも小さい値にすれば、アナログ画像信号線８の断線発生を判定することができる。また、断線したアナログ画像信号線８を特定することができる。
【００５６】
また、第１閾値ＴＨ１以下の合計値がある場合（ステップ♯１４のＹｅｓ）、制御部１は、何れかのアナログ画像信号線８の異常ありと判定する（ステップ♯１９）。そして、制御部１は、合計値が第１閾値ＴＨ１以下となったブロックＢのアナログ画像信号を伝送するアナログ画像信号線８が断線したと判定する（ステップ♯１１０）。言い換えると、制御部１は、合計値が第１閾値ＴＨ１以下となったブロックＢに対応するアナログ画像信号線８が断線していると判定する。
【００５７】
そして、ステップ♯１８、又は、ステップ♯１１０の後、制御部１は、判定した異常を表示パネル５１に表示させる（ステップ♯１１１）。アナログ画像信号線８に異常ありと判定したとき、制御部１は、アナログ画像信号線８の異常（断線）発生を表示パネル５１に表示させる。また、制御部１は、いずれのアナログ画像信号線８で断線が発生したかを表示パネル５１に表示させる。例えば、制御部１は、ケーブル８０内で並ぶアナログ画像信号線８のうち、何番目のアナログ画像信号線８が断線したかを表示パネル５１に表示させる。また、ランプ２６の異常ありと判定したとき、制御部１は、ランプ２６の異常（断線、故障）を表示パネル５１に表示させる。
【００５８】
さらに、制御部１は、予め定められた宛先に向けて、判定した異常を通信部７に送信させる（ステップ♯１１２）。ステップ♯１１２の後、制御部１は本フローを終了させる（エンド）。予め定められた宛先は、メンテナンス会社のコンピューター２００（サーバー）でもよい。メンテナンス会社は、複合機１００の管理、監視、修理、保守を行う。これにより、複合機１００の異常発生と修理（メンテナンス）の必要性をメンテナンス会社に迅速に伝えることができる。
【００５９】
また、予め定められた宛先は、複合機１００のメーカーが設置し、複合機１００の情報を収集するコンピューター２００（サーバー）でもよい。これにより、アナログ画像信号線８（ケーブル８０）の断線の頻度や、どのアナログ画像信号線８が断線しやすいかを判断するための情報を収集することができる。
【００６０】
なお、異常判定処理（図６の処理）を複数回連続して行ってもよい。この場合、所定回数以上、アナログ画像信号線８に異常がある（断線している）という判定結果になったとき、制御部１は、アナログ画像信号線８に異常があると最終的に判定してもよい。アナログ画像信号線８に異常がある（断線している）という判定結果になった回数が所定回数未満のとき、制御部１は、アナログ画像信号線８に異常はないと最終的に判定してもよい。
【００６１】
また、所定回数以上、アナログ画像信号線８に異常があるという判定結果になったとき、制御部１は、断線が発生したアナログ画像信号線８を特定してもよい。この場合、１回でも合計値が第１閾値ＴＨ１を下回ったブロックＢに対応するアナログ画像信号線８が断線していると特定してもよい。アナログ画像信号線８に異常がある（断線している）という判定結果になった回数が所定回数未満のとき、制御部１は、断線が発生したアナログ画像信号線８を特定しないようにしてもよい。
【００６２】
また、所定回数以上、ランプ２６に異常がある（断線している）という判定結果になったとき、制御部１は、ランプ２６に異常があると最終的に判定してもよい。ランプ２６に異常がある（断線している）という判定結果になった回数が所定回数未満のとき、制御部１は、ランプ２６に異常はないと最終的に判定してもよい。
【００６３】
所定回数は適宜定めることができる。所定回数は、連続して異常判定処理を行う回数と同じでもよい。この場合、毎回異常ありと判定されたときのみ、異常の表示、送信が行われる。また、所定回数は、連続して異常判定処理を行う回数の１／２以上としてもよい。
【００６４】
（第１閾値ＴＨ１の設定）
図７を用いて、実施形態に係る複合機１００での第１閾値ＴＨ１の設定の一例を示す。図７は、実施形態に係る複合機１００での第１閾値ＴＨ１の設定の一例を示す図である。
【００６５】
第１閾値ＴＨ１は同型（同一機種）共通でもよい。言い換えると、第１閾値ＴＨ１は固定されていてもよい。また、読み取りに基づき、第１閾値ＴＨ１が設定されてもよい。例えば、工場出荷時の検査で第１閾値ＴＨ１を設定してもよい。
【００６６】
図７では、ブロックＢ（アナログ画像信号線８）ごとに第１閾値ＴＨ１を設定する例を説明する。図７は、操作パネル５が第１閾値ＴＨ１の設定指示を受け付けた時点である。まず、制御部１は、ランプ２６を消灯した状態でイメージセンサー９に読み取りを行わせる（ステップ♯２１）。次に、制御部１は、閾値設定用画像データを画像データ生成部１２に生成させる（ステップ♯２２）。閾値設定用画像データは、ランプ２６消灯時の読み取りに基づく画像データである。
【００６７】
制御部１は、ブロックＢごとに、画素の画素値の合計である閾値設定用合計値を求める（ステップ♯２３）。そして、制御部１は、求めた閾値設定用合計値の最小値又は平均値よりも小さい値を第１閾値ＴＨ１として記憶部４に記憶させる（ステップ♯２４）。例えば、制御部１は、求めた閾値設定用合計値の最小値又は平均値から、ブロックＢに含まれる画素数を減じた値を、第１閾値ＴＨ１としてもよい。イメージセンサー９や画像データ生成部１２の個体差に応じた第１閾値ＴＨ１を設定することができる。
【００６８】
このようにして、実施形態に係る画像読取装置（複合機１００）は、白基準板２３、ランプ２６、イメージセンサー９、複数のアナログ画像信号線８、画像データ生成部１２、制御部１を含む。ランプ２６は読取対象に光を照射する。イメージセンサー９は、読取対象で反射された光を受光する受光素子９ａを複数含む。アナログ画像信号線８は、イメージセンサー９の受光素子９ａを区分けしたブロックＢごとに設けられる。アナログ画像信号線８は、ブロックＢ内の受光素子９ａが出力するアナログ画像信号を伝送する。画像データ生成部１２は、それぞれのアナログ画像信号線８と接続され、それぞれのアナログ画像信号線８が伝送するアナログ画像信号を処理して画像データを生成する。異常判定処理のとき、制御部１は、ランプ２６を点灯させてイメージセンサー９に白基準板２３を読み取らせる。制御部１は、白基準板２３の読み取りに基づき得られた画像データである白基準画像データを画像データ生成部１２に生成させる。制御部１は、ブロックＢごとに、白基準画像データの各画素の画素値の合計である合計値を求める。制御部１は、それぞれのブロックＢの合計値と予め定められた第１閾値ＴＨ１とを比較する。制御部１は、第１閾値ＴＨ１以下の合計値があるとき、アナログ画像信号の異常ありと判定する。制御部１は、合計値が第１閾値ＴＨ１以下のブロックＢに対応するアナログ画像信号線８が断線していると判定する。
【００６９】
この構成によれば、ブロックＢ単位で画素値の総計を求め、総計と第１閾値ＴＨ１とを比較することができる。一部の画素値が読取対象の汚れ、読み取りガラス部分の汚れや傷の影響を受けても、アナログ画像信号線８の断線が発生したか否かを正確に判定することができる。また、ブロックＢ単位（アナログ画像信号線８単位）で断線が発生したか否かを判定することができる。これにより、断線したアナログ画像信号線８を特定することができる。また、断線箇所を正確に特定することができるので、設計、開発、改良に役立つデータを得ることができる。例えば、どのアナログ画像信号線８で断線が生じやすいか、というデータを得ることができる。
【００７０】
画像読取装置は、イメージセンサー９と画像データ生成部１２を電気的に接続するケーブル８０を含む。ケーブル８０は、複数のアナログ画像信号線８を含む。ケーブル８０に含まれるアナログ画像信号線８のうち、どのアナログ画像信号線８で断線が発生したかを特定することができる。なお、ケーブル８０には、例えば、ＦＦＣ（フレキシブルフラットケーブル８０）を用いることができる。
【００７１】
第１閾値ＴＨ１より大きいが、予め定められた第２閾値ＴＨ２以下の合計値があるとき、制御部１は、ランプ２６の異常ありと判定する。第２閾値ＴＨ２は、第１閾値ＴＨ１よりも大きい。ランプ２６の異常を検知することができる。例えば、ランプ２６の不点灯、断線、故障を検知することができる。
【００７２】
画像読取装置は、表示パネル５１を含む。異常ありと判定したとき、制御部１は、判定した異常を表示パネル５１に表示させる。アナログ画像信号線８又はランプ２６の異常を使用者に知らせることができる。
【００７３】
画像読取装置は通信部７を含む。異常ありと判定したとき、制御部１は、予め定められた宛先に向けて、判定した異常を通信部７に送信させる。特定の宛先（例えば、コンピューター２００）に異常の発生を知らせることができる。修理の必要性を通知することができる。設計、開発に役立つ情報を送信することができる。
【００７４】
第１閾値ＴＨ１はゼロ以上である。第１閾値ＴＨ１は、ランプ２６の不点灯時の読み取りで得られた画像データにおいて、ブロックＢ内の各画素の画素値を合計した値よりも小さくしてもよい。受光素子９ａには、暗電流が流れる。暗電流により、ランプ２６不点灯で読み取りを行っても、画素値はゼロにはならない。アナログ画像信号線８が断線していない限り、各ブロックＢの合計値はゼロにならない。ランプ２６の不点灯時の読み取りで得られた画像データの合計値に基づき第１閾値ＴＨ１を定めることができる。アナログ画像信号線８の断線発生を正確に判定できる第１閾値ＴＨ１を定めることができる。
【００７５】
画像読取装置は記憶部４を含む。制御部１は、ランプ２６を消灯させてイメージセンサー９に読み取りを行わせる。制御部１は、ランプ２６消灯時の読み取りに基づき得られた画像データである閾値設定用画像データを画像データ生成部１２に生成させる。制御部１は、ブロックＢごとに、閾値設定用画像データの各画素値の合計である閾値設定用合計値を求める。制御部１は、求めた閾値設定用合計値の最小値又は平均値よりも小さい値を第１閾値ＴＨ１として記憶部４に記憶させる。イメージセンサー９の個体差（特性差）に合う第１閾値ＴＨ１を定めることができる。
【００７６】
以上、本発明の実施形態を説明したが、本発明の範囲はこれに限定されず、発明の主旨を逸脱しない範囲で種々の変更を加えて実施することができる。
【００７７】
上記の説明では、全ブロックＢで同じ第１閾値ＴＨ１を用いる例を説明した。しかし、第１閾値ＴＨ１はブロックＢごとに定められてもよい。第１閾値ＴＨ１はブロックＢごとに異なってもよい。この場合、記憶部４はブロックＢ（アナログ画像信号線８）ごとに第１閾値ＴＨ１を記憶する。制御部１は、ブロックＢの合計値と、当該ブロックＢに対応する第１閾値ＴＨ１を比較する。そして、制御部１は、アナログ画像信号線８の異常の有無を判定する。また、制御部１は、断線したアナログ画像信号線８を特定する。
【００７８】
なお、第２閾値ＴＨ２は、全ブロックＢで同じ値でもよい。また、第２閾値ＴＨ２はブロックＢごとに定められてもよい。第２閾値ＴＨ２はブロックＢごとに異なってもよい。この場合、記憶部４はブロックＢ（アナログ画像信号線８）ごとに第２閾値ＴＨ２を記憶する。制御部１は、ブロックＢの合計値と、当該ブロックＢに対応する第２閾値ＴＨ２を比較する。そして、制御部１は、ランプ２６の異常の有無を判定する。
【産業上の利用可能性】
【００７９】
本発明は、画像読取装置に利用可能である。
【符号の説明】
【００８０】
１００  複合機（画像読取装置）          １      制御部
１２    画像データ生成部                ２３    白基準板
２６    ランプ                          ４    記憶部
５１    表示パネル                      ７    通信部
８      アナログ画像信号線              ８０    ケーブル
９      イメージセンサー                ９ａ    受光素子
Ｂ      ブロック                        ＴＨ１  第１閾値
ＴＨ２  第２閾値
【図１】
2020028018.tif 000003
【図２】
2020028018.tif 000004
【図３】
2020028018.tif 000005
【図４】
2020028018.tif 000006
【図５】
2020028018.tif 000007
【図６】
2020028018.tif 000008
【図７】
2020028018.tif 000009